(57)【要約】【課題】天台聲明の習得に適した鍵盤楽器を提供すること。【解決手段】天台聲明の音階名（「壱越」、「断金」など）等を刻印した３２健の鍵盤１０と、前記鍵盤を打鍵することにより音を出力するスピーカー６１と、前記鍵盤の奥側端部近傍位置に配設するガイド体５２及び２７に区分したそれぞれのスペースに天台聲明の音位を示す略文字（「ウ」、「六」など）を表示し、前記ガイド体の内部に沿ってスライド移動する所定の音位配列シート５１等からなる音位配列表示機構５０と、を備える鍵盤楽器１を提供する。【選択図】図１
2015145932.tif 000002
【特許請求の範囲】
【請求項１】
白鍵及び黒鍵が配列された鍵盤と前記鍵盤を打鍵することにより音を出力する出力装置とを少なくとも備える鍵盤楽器であって、
前記鍵盤の奥側端部近傍位置に音位配列表示機構を備える鍵盤楽器。
【請求項２】
前記音位配列表示機構が、前記鍵盤の奥側端部近傍位置に配設するガイド体と、前記ガイド体の内部に沿ってスライド移動し表面に聲明の音位配列を表示する音位配列シートと、で構成する請求項１に記載の鍵盤楽器。
【請求項３】
前記音位配列シートの裏面に、当該音位配列シート自身を前記ガイド体の内部に沿って滑らかにスライド移動させるための滑動機構を備える請求項１又は請求項２に記載の鍵盤楽器。
【請求項４】
前記鍵盤の表面に聲明の音階を示す文字又は記号を刻印により表示する請求項１から請求項３いずれかに記載の鍵盤楽器。
【請求項５】
前記鍵盤の健数よりも前記音位配列シートの区分の数が少ない請求項１から請求項４いずれかに記載の鍵盤楽器。
【発明の詳細な説明】
【技術分野】
【０００１】
本願発明は、聲明（特に天台聲明）の習得に適した鍵盤楽器に関するものである。
【背景技術】
【０００２】
従来、天台聲明の習得においては、聲明指導者の発声を直接聞いて、聲明訓練者が同様に発声をする方法により行われていた。
【０００３】
しかし、前記の方法では、聲明指導者による発声がその都度微妙に変化してしまうことは避けきれず、また、多数の聲明訓練者が同時にリスニングをする場合においては、リスニング環境（室内音響設備、立ち位置、座り位置など）による影響やリスニング能力の個人差による影響などが生じてしまうことも避けきれなかった。
【０００４】
聲明梵唄の基準音位の出音（発声）の基準音となるものをきん又はいんきん（打楽器）で出音することにより、正しい音律で聲明を行わせ得る発明も存在はする（特許文献１）。
【先行技術文献】
【特許文献】
【０００５】
【特許文献１】特開平１０−２４７０８１号公報
【発明の概要】
【発明が解決しようとする課題】
【０００６】
しかしながら、上述の特許文献１のような打楽器では出力できる音が１種類であるため、複数音の習得が必要となる聲明の習得には適さない。
【０００７】
そこで、本願発明が解決しようとする課題は、聲明指導者の発声を直接聞く方法以外でも聲明の訓練が可能で、かつ、リスニング環境又はリスニング能力の個人差の影響が生じ難い、聲明の習得に適した聲明習得具（聲明訓練具）を提供することである。
【課題を解決するための手段】
【０００８】
上記の課題を解決するために、本願発明では、白鍵及び黒鍵が配列された鍵盤と前記鍵盤を打鍵することにより音を出力する出力装置とを少なくとも備える鍵盤楽器であって、前記鍵盤の奥側端部近傍位置に音位配列表示機構を備える鍵盤楽器を提供する。
【０００９】
また、上記の課題を解決するために、本願発明では、白鍵及び黒鍵が配列された鍵盤と前記鍵盤を打鍵することにより音を出力する出力装置とを少なくとも備える鍵盤楽器であって、前記鍵盤の奥側端部近傍位置に音位配列表示機構を備え、前記音位配列表示機構が、前記鍵盤の奥側端部近傍位置に配設するガイド体と、前記ガイド体の内部に沿ってスライド移動し表面に聲明の音位配列を表示する音位配列シートとで構成する鍵盤楽器を提供する。
【００１０】
また、上記の課題を解決するために、本願発明では、白鍵及び黒鍵が配列された鍵盤と前記鍵盤を打鍵することにより音を出力する出力装置とを少なくとも備える鍵盤楽器であって、前記鍵盤の奥側端部近傍位置に音位配列表示機構を備え、前記音位配列表示機構が、前記鍵盤の奥側端部近傍位置に配設するガイド体と、前記ガイド体の内部に沿ってスライド移動し表面に聲明の音位配列を表示する音位配列シートとで構成し、前記音位配列シートの裏面に、当該音位配列シート自身を前記ガイド体の内部に沿って滑らかにスライド移動させるための滑動機構を備える鍵盤楽器を提供する。
【００１１】
また、上記の課題を解決するために、本願発明では、白鍵及び黒鍵が配列された鍵盤と前記鍵盤を打鍵することにより音を出力する出力装置とを少なくとも備える鍵盤楽器であって、前記鍵盤の奥側端部近傍位置に音位配列表示機構を備え、前記音位配列表示機構が、前記鍵盤の奥側端部近傍位置に配設するガイド体と、前記ガイド体の内部に沿ってスライド移動し表面に聲明の音位配列を表示する音位配列シートとで構成し、前記音位配列シートの裏面に、当該音位配列シート自身を前記ガイド体の内部に沿って滑らかにスライド移動させるための滑動機構を備え、さらに前記鍵盤の表面に聲明の音階を示す文字又は記号を刻印により表示する鍵盤楽器を提供する。
【００１２】
また、上記の課題を解決するために、本願発明では、白鍵及び黒鍵が配列された鍵盤と前記鍵盤を打鍵することにより音を出力する出力装置とを少なくとも備える鍵盤楽器であって、前記鍵盤の奥側端部近傍位置に音位配列表示機構を備え、前記音位配列表示機構が、前記鍵盤の奥側端部近傍位置に配設するガイド体と、前記ガイド体の内部に沿ってスライド移動し表面に聲明の音位配列を表示する音位配列シートとで構成し、前記音位配列シートの裏面に、当該音位配列シート自身を前記ガイド体の内部に沿って滑らかにスライド移動させるための滑動機構を備え、さらに前記鍵盤の表面に聲明の音階を示す文字又は記号を刻印により表示し、前記鍵盤の健数よりも前記音位配列シートの区分の数が少ない鍵盤楽器を提供する。
【発明の効果】
【００１３】
本願考案の鍵盤楽器は、いつでも同じ天台聲明の複数の基準音位が出力（出音）出来るため、聲明指導者の発声を直接聞く方法以外の方法で聲明の訓練が行える。また、聲明訓練者自身が鍵盤楽器を弾きながら、つまり鍵盤楽器のすぐ近くで自己練習が可能となるため、リスニング環境による影響が生じ難く、またリスニング能力の個人差の影響も生じ難い。
【００１４】
また、本願発明の鍵盤楽器は、音位配列シートがより滑らかにスライド移動するため、操作性に優れる。
【００１５】
また、本願考案の鍵盤楽器は、鍵盤の表面に聲明の音階を示す文字等を刻印により表示しているため、天台聲明の音階及び音位の関係も視覚的に習得できる。また、耐久性にも優れる（操作による接触にも耐え得る）。
【００１６】
また、本願発明の鍵盤楽器は、音位配列シートの区分の数を鍵盤の健数（３２健）よりも少ない２７としたことにより前記音位配列シート自体の長さを短くすることができた。これによりスライド移動操作が容易となった（操作性が向上した）。また、見た目もスッキリとした（視覚性も向上した）。
【図面の簡単な説明】
【００１７】
【図１】図１は鍵盤楽器の構成を示す全体平面図である。
【図２】図２は鍵盤楽器の構成を示す全体斜視図である。
【図３】図３は音位配列シートの拡大図である。
【図４】図４は音位配列シートの裏面の状態（滑動機構）を示す側面図である。
【図５】図５は滑動機構の変形例を示す側面図である。
【図６】図６は音位配列表示機構の変形例の構成を示す拡大平面図である。
【図７】図７は鍵盤上の刻印表示及び鍵盤楽器の操作方法を示した平面図である。
【発明を実施するための形態】
【００１８】
聲明訓練者自身が本願発明の鍵盤楽器を操作（音位配列シートのスライド移動及び鍵盤を打鍵）しながら同音の発声をすることにより、天台聲明を習得する。
【実施例１】
【００１９】
まずは、鍵盤楽器の構成について、図１から図７に従い説明する。
【００２０】
鍵盤楽器（１）は、３２鍵の鍵盤（１０）と、前記鍵盤を打鍵することにより音を出力するスピーカー（６１）と、前記鍵盤の奥側端部近傍位置に配設する音位配列表示機構（５０）と、電源スイッチ（６２）と、各種調整機構（６３）とで構成する（図１及び図２）。
【００２１】
前記鍵盤（１０）は、最も左側に配置する第１白鍵（１１）と、第１白鍵と隣接する第２黒鍵（１２）と、前記第２黒鍵と隣接する第３白鍵（１３）と、前記第３白鍵と隣接する第４黒鍵（１４）と、前記第４黒鍵と隣接する第５白鍵（１５）と、前記第５白鍵と隣接する第６黒鍵（１６）と、前記第６黒鍵と隣接する第７白鍵（１７）と、前記第７白鍵と隣接する第８白鍵（１８）と、前記第８白鍵と隣接する第９黒鍵（１９）と、前記第９白鍵と隣接する第１０白鍵（２０）と、前記第１０白鍵と隣接する第１１黒鍵（２１）と、前記第１１黒鍵と隣接する第１２白鍵（２２）と、その後同様に配列する第１３白鍵（２３）以降の白鍵（２５、２７、２９、３０、３２、３４、３５、３７、３９、４１、４２）及び黒鍵（２４、２６、２８、３１、３３、３６、３８、４０）と、で構成する（図１）。
【００２２】
前記音位配列表示機構（５０）は、２７のスペースに区分した樹脂製の音位配列シート（５１）と、前記鍵盤の奥側端部近傍位置に配設した樹脂製のガイド体（５２）とで構成する（図１）。
【００２３】
前記音位配列シート（５１）は、前記鍵盤の幅と略同一の幅で２７のスペースに区分し、前記各スペースには聲明の音位配列を表示している。具体的には、聲明の音位の略文字を「下ヨ」、「上ヨ」、「反ウ」、「ウ」、空白、「六」、「嬰六」、「呂夕」、「律夕」、「反山」、「山」、空白、「下ヨ」、「上ヨ」、「反ウ」、「ウ」、空白、「六」、「嬰六」、「呂夕」、「律夕」、「反山」、「山」、空白、「下ヨ」、「上ヨ」、「反ウ」の順で表示している（図３）。
【００２４】
また、前記音位配列シート（５１）の表示について、前記音位配列シート自身をスライド移動操作する時に視覚確認を容易にするために「ウ」の表示を他の表示よりも目立つように表示することが好ましい。本実施例では「ウ」の背面を黒色に塗りつぶし「ウ」の文字を白抜き反転表示することにより目立たせている（図３）。
【００２５】
前記音位配列シート（５１）の区分の数、幅又は形状について、前記鍵盤の健数よりも少ない又は同数であれば同様の機能を果たすことが可能であるが、スライド可動範囲の幅（距離）や見易さ、つまり操作性及び視覚性を考慮すると鍵盤の幅と略同一幅の矩形の区分を２７にすることが好ましい（図３）。
【００２６】
なお、意匠性を考慮し、前記音位配列シート（５１）の形状を円形や六角形等に変更することも、著しく視覚性を悪化させなければ許容し得るものとする。
【００２７】
前記音位配列シート（５１）の材質について、前記音位配列シートは、当該鍵盤楽器の表面と接触し摺動しながら前記ガイド体の内部に沿って往復スライド移動をする部分であることを考慮すると、一定の耐久性及び一定の滑動性を備えている方が好ましく、本実施例では、紙材質よりも耐久性及び滑動性のある樹脂材質を使用している。なお、携帯性を考慮すれば、軽量材質である方が好ましい。
【００２８】
前記音位配列シート（５１）の裏面には、当該鍵盤楽器の表面と接触し摺動する時に、接触面積を減縮するあるいは接触抵抗を少なくすることにより、当該音位配列シート自身を前記ガイド体の内部に沿って滑らかにスライド移動させる滑動機構（５１ａ）を備えている（図４）。
【００２９】
前記滑動機構（５１ａ）は、前記音位配列シート（５１）よりも長さ及び幅が僅かに短い矩形形状で、かつ、前記音位配列シートと同一材質としているが、接触面積をより減縮させた図５のような滑動機構（５１ｂ）に変更することも許容しうる（図５）。
【００３０】
また、前記音位配列シート（５１）自身の裏面を滑動状態（「ざらざら」ではない、いわゆる「すべすべ」あるいは「ツルツル」状態）にすることも有効である。
【００３１】
前記ガイド体（５２）の構成について、一方の端部に開口部を有する２体のガイド体のそれぞれの開口部を対向させて配設し、２体で１組のガイド体としている（図１）。
【００３２】
これにより、前記音位配列シート（５１）が前記ガイド体（５２）に沿って前記鍵盤（１０）の幅方向に往復スライド移動が可能となる（図１）。
【００３３】
前記ガイド体（５２）の配設位置について、前記鍵盤（１０）の奥側端部辺と平行になるように配設している（図１）。
【００３４】
これは、前記音位配列シート（５１）のスライド移動をし易く、また前記鍵盤に刻印した音階名と前記音位配列シートに表示した音位とが上下に整列して並び視覚的に見易くするためである。
【００３５】
前記ガイド体（５２）の構造について、前記音位配列シートが前記ガイド体の内部に沿って往復スライド移動できれば他の構造に変更することも許容し得るものとする。例えば、両方の端部に開口部を有する１体のガイド体を前記鍵盤の奥側端部辺と平行になるように配設するガイド体である（図示せず）。
【００３６】
前記音位配列シート（５２）の色彩について、前記音位配列シート上に示した聲明の音位等が視認できれば良いが、好ましくは透明である。
【００３７】
前記音位配列表示機構（５０）として、操作つまみ（５３）を付加することも好ましい（図６）。
【００３８】
前記操作つまみ（５３）を付加する場合において、前記音位配列シート（５１）を前記ガイド体（５２）の内部に沿って前記鍵盤の幅方向に往復スライド移動できればいずれの配置及び大きさであっても良い。例えば、図６で示すような、音位配列シートの中央部に貫通設置をする構成である。これにより、操作性をより向上させることが可能である（図６）。
【００３９】
前記スピーカー（６１）は、前記鍵盤を打鍵した時に音を出力できるものであれば良い。
【００４０】
前記電源スイッチ（６２）は、当該鍵盤楽器の電源をオン又はオフに切り換える機能を備えていれば良いものとする。
【００４１】
前記各種調整機構（６３）とは、当該鍵盤楽器の機能を付加する各種調整ボタン又はスイッチを指し、例えば、音量を大きく又は小さく調整するスライドスイッチであったり、テンポを遅く又は速く調整するボタンであったり、トーン（音色）を鍵盤楽器音、管楽器音又は弦楽器音等に切り替えるスイッチなどのことをいう。
【００４２】
前記第１白鍵（１１）から第１２白鍵（２２）までは、音階名の名称全体を刻印するとともに鍵盤色とは異なる色彩で文字部分を着色している（図２）。
【００４３】
具体的には、前記第１白鍵（１１）には「勝絶」と、前記第２黒鍵（１２）には「下無」と、前記第３白鍵（１３）には「双調」と、前記第４黒鍵（１４）には「鳧鐘（鳬鐘）」と、前記第５白鍵（１５）には「黄鐘」と、前記第６黒鍵（１６）には「鸞鏡」と、前記第７白鍵（１７）には「盤渉」と、前記第８白鍵（１８）には「神仙」と、前記第９黒鍵（１９）には「上無」と、前記第１０白鍵（２０）には「壱越」と、前記第１１黒鍵（２１）には「断金」と、前記第１２白鍵（２２）には「平調」と音階名の名称全体を刻印している（図２）。
【００４４】
前記音階名の表示方法について、音階名等を直接書いたり、あるいは音階名等を印刷したシート状体を貼付する方法でも可能であるが、繰り返し操作をしても表示が消えない又は剥がれないといった耐久性を考慮すると刻印とする方が好ましい。
【００４５】
また、前記第１３白鍵（２３）以降の鍵盤には、音階名を示す略文字又は略記号を刻印するとともに鍵盤色とは異なる色彩で文字部分を着色している。具体的には、前記第１３白鍵には「月」と、それ以降は「下」、「ヌ」、鳧鐘の略記号である「鳧の下部の一部からなる記号」（以下、「鳧鐘略記号」という。）、黄鐘の略記号である「黄の上部の一部である1本の横棒と２本の縦棒からなる記号」（以下、「黄鐘略記号」という。）、「亦」、盤渉の略記号である「皿から縦棒を１本減じた記号」（以下、「盤渉略記号」という。）、「ネ」、「上」、壱越の略記号である「壱の上部の一部である１本の横棒と１本の縦棒からなる記号」（以下、「壱越略記号」という。）、「斤」、平調の略記号である「平の一部である1本の横棒と1本の縦棒からなる記号」、「月」、「下」、「ヌ」、「鳧鐘略記号」、「黄鐘略記号」、「亦」、「盤渉略記号」、「ネ」の順にと刻印している（図２、図７）。
【００４６】
前記各々の白鍵の表面に刻印された音階名等は、視覚性を考慮し、鍵盤色とは異なる黒色に着色している。また、前記各々の黒鍵の表面に刻印された音階名等も同様に、鍵盤色とは異なる白色に着色している（図２）。
【００４７】
次に、図１の状態から天台聲明の七調子のうちの上無調（かみむちょう）に設定する場合の操作について図１及び図７に従い、説明をする。
【００４８】
音位配列シート（５１）の略中央部を指で押さえ、ガイド体（５２）に沿って、右方向に５鍵分スライド移動する（図７）。
【００４９】
前記音位配列シート（５１）の「ウ」位置が、第９黒鍵（１９）の位置に合う（図７の状態）。
【００５０】
上記の操作により、上無調の設定となり、第６黒鍵（１６）が下ヨ（げう）、第７白健（１７）が上ヨ（じょうう）、第８白鍵（１８）反ウ（へんきゅう）、第１１黒鍵（２１）が六（しょう）、第１２白鍵（２２）が嬰六（えいしょう）、第１３白鍵（２３）がロ夕（ろかく）、第１４黒鍵（２４）が律夕（りっかく）、第１５白鍵（２５）が反山（へんち）、第１６黒鍵（２６）が山（ち）の音位であることが視覚的に確認できる。
【産業上の利用可能性】
【００５１】
本願考案の鍵盤楽器は、利便性及び操作性に優れ天台聲明の習得を飛躍的に躍進させるものであるので産業上の利用可能性を有する。
【符号の説明】
【００５２】
１      鍵盤楽器
１０    鍵盤
１１    第１白鍵
１２    第２黒鍵
１３    第３白鍵
１４    第４黒鍵
１５    第５白鍵
１６    第６黒鍵
１７    第７白鍵
１８    第８白鍵
１９    第９黒鍵
２０    第１０白鍵
２１    第１１黒鍵
２２    第１２白鍵
２３    第１３白鍵
２４    第１４黒鍵
２５    第１５白鍵
２６    第１６黒鍵
２７    第１７白鍵
２８    第１８黒鍵
２９    第１９白鍵
３０    第２０白鍵
３１    第２１黒鍵
３２    第２２白鍵
３３    第２３黒鍵
３４    第２４白鍵
３５    第２５白鍵
３６    第２６黒鍵
３７    第２７白鍵
３８    第２８黒鍵
３９    第２９白鍵
４０    第３０黒鍵
４１    第３１白鍵
４２    第３２白鍵
５０    音位配列表示機構
５１    音位配列シート
５１ａ  滑動機構
５１ｂ  滑動機構
５２    ガイド体
５３    操作つまみ
６１    スピーカー（出力装置）
６２    電源スイッチ
６３    各種調整機構
【図１】
2015145932.tif 000003
【図２】
2015145932.tif 000004
【図３】
2015145932.tif 000005
【図４】
2015145932.tif 000006
【図５】
2015145932.tif 000007
【図６】
2015145932.tif 000008
【図７】
2015145932.tif 000009